(57)【要約】【課題】各機能の作用を確実に奏すると共に、必要な効能を容易に得ることができる多機能を施した布地及びテープを提供する。【解決手段】布地及びテープ１は、織布、編布又は不織布であって、一方の面に静電気防止処理を施し、他方の面に消臭処理を施し、静電気防止機能２を有する一方の面と、消臭機能３を有する他方の面を形成した。【選択図】  図１
0003172964.tif 000002
【実用新案登録請求の範囲】
【請求項１】
織布、編布又は不織布であって、一方の面に静電気防止処理を施し、他方の面に消臭処理を施し、静電気防止機能を有する一方の面と、消臭機能を有する他方の面を形成したことを特徴とする布地及びテープ。
【請求項２】
導電性素材又は消臭剤を練りこんだ二種の糸を用いて織成し、静電気防止機能を有する一方の面と、消臭機能を有する他方の面を形成したことを特徴とする布地及びテープ。
【請求項３】
織布を、導電性素材又は消臭剤を練りこんだ二種の糸を経糸又は／及び緯糸に用い、静電気防止機能を有する一方の面と、消臭機能を有する他方の面を形成した表裏二重組織としことを特徴とする布地及びテープ。
【請求項４】
編布を、導電性素材又は消臭剤を練りこんだ二種の糸を用い、静電気防止機能を有する一方の面と、消臭機能を有する他方の面を形成した表裏二重組織としたことを特徴とする布地及びテープ。
【請求項５】
導電性素材又は消臭剤を練りこんだ糸を用いた不織布を重合し、静電気防止機能を有する一方の面と、消臭機能を有する他方の面を形成した表裏二重組織としことを特徴とする布地及びテープ。
【考案の詳細な説明】
【技術分野】
【０００１】
本考案は織布、編布又は不織布であって、多機能を有する布地及びテープに関するものである。
【背景技術】
【０００２】
多機能を施した布地等は従来から各種提案されている。
たとえば、特開２００１−２７１２５２号公報のパイル織物では、パイル糸の毛羽を生地の表面に所定間隔で織り込んで密生して両側を起立させると共に、前記起立した毛羽のうち導電性繊維の先端に切断端面を設けてコロナ放電を可能としたことを特徴とし、静電気防止効果および抗菌・消臭効果を有することが開示されている。
【０００３】
また、特開２００６−２１９７７９号公報の織編物或いは二次製品では、静電気に帯電しにくい高分子化合物と、稀有元素類を鉱物、及びトルマリン若しくは遠赤外線セラミックのいずれか一方を含む混合体を混合し、さらに光触媒機能材料を添加混合した樹脂組成物を塗布固着させ、抗菌効果及び消臭効果を増加させたことが開示されている。
【０００４】
さらに、実用新案登録第３１０３５９８号公報では、上下２面を有する繊維布帛の少なくとも一面に、前記繊維布帛へ付着性の好い金属からなる金属層を被覆したものであって、前記金属層は、その厚さが１００Å〜５５０Åであり、比抵抗値が１０〜１０８Ω・ｃｍであることを特徴とする静電気シールド用金属被覆繊維布帛が開示されている。
【０００５】
そして、実用新案登録第３０３１２８４号公報では、本体が合成ゴム及び塩化ビニル等にてなる弾性シートと、この弾性シートの上面に接着される起毛布とから構成し、起毛布には防臭剤による加工処理を施したマットが開示されている。
【先行技術文献】
【特許文献】
【０００６】
【特許文献１】特開２００１−２７１２５２号公報
【特許文献２】特開２００６−２１９７７９号公報
【特許文献３】実用新案登録第３１０３５９８号公報
【特許文献４】実用新案登録第３０３１２８４号公報
【考案の概要】
【考案が解決しようとする課題】
【０００７】
上記従来の多機能を施した布地等は、各機能を奏する手段を一面に、又は両面に混在して設けた構成としているものである。
したがって、不必要な面に、或いは必要を超える作用を奏する手段を施して資源の無駄遣いとなったり、原価高となることが危惧されるのである。
【０００８】
そこで、斯かる点に鑑み本考案は、各機能の作用を確実に奏すると共に、必要な効能を容易に得ることができる多機能を施した布地及びテープを提供せんとするものである。
【課題を解決するための手段】
【０００９】
本考案の請求項１の布地及びテープは、織布、編布又は不織布であって、一方の面に静電気防止処理を施し、他方の面に消臭処理を施し、静電気防止機能を有する一方の面と、消臭機能を有する他方の面を形成したことを特徴とするものである。
【００１０】
また、請求項２の布地及びテープの考案は、導電性素材又は消臭剤を練りこんだ二種の糸を用いて織成し、静電気防止機能を有する一方の面と、消臭機能を有する他方の面を形成したことを特徴とするものである。
【００１１】
また、請求項３の布地及びテープの考案は、織布を、導電性素材又は消臭剤を練りこんだ二種の糸を経糸又は／及び緯糸に用い、静電気防止機能を有する一方の面と、消臭機能を有する他方の面を形成した表裏二重組織としことを特徴とするものである。
【００１２】
さらに、請求項４の布地及びテープの考案は、編布を、導電性素材又は消臭剤を練りこんだ二種の糸を用い、静電気防止機能を有する一方の面と、消臭機能を有する他方の面を形成した表裏二重組織としたことを特徴とする布地及びテープ。
【００１３】
そして、請求項５の布地及びテープの考案は、導電性素材又は消臭剤を練りこんだ糸を用いた不織布を重合し、静電気防止機能を有する一方の面と、消臭機能を有する他方の面を形成した表裏二重組織としことを特徴とするものである。
【考案の効果】
【００１４】
本考案は布地及びテープの両面を、静電気防止機能を有する一方の面と、消臭機能を有する他方の面を形成したことにより、一面に特定の機能を集中でき、その作用の強弱調整も容易に設定できる効果を有する。
【００１５】
また、静電気防止機能は主に使用者の身体と接する面、或いは身体側の面に発生するのを防止すればその目的が達成でき、一方、消臭機能は身体と接していなくともその作用は奏せられるため、夫々片面のみに形成することで目的の効果を発揮するものである。
【００１６】
さらに、各作用を奏する糸を用いれば作用の継続性を長期間維持できると共に、編織組織により、或いは二重組織の編織とすることで、容易且つ作用の強弱を簡単に各面に形成できる効果を有するものである。
【図面の簡単な説明】
【００１７】
【図１】本考案の一実施の形態を断面図である。
【図２】本考案の一実施の形態を組織図である。
【図３】本考案の一実施の形態を断面図である。
【図４】テープの一使用の状態を示す断面図である。
【図５】テープの他の使用の状態を示す一部切り欠いた斜視図である。
【考案を実施するための形態】
【００１８】
本考案の一実施の形態を説明すれば、図１において、布地及びテープ１は、一方の面２に静電気防止処理２１を施し、他方の面３に消臭処理３１を施し、静電気防止機能を有する一方の面２と、消臭機能を有する他方の面３を形成したものである。
【００１９】
本考案の布地及びテープ１は特に限定されるものではなく、一般的な織物・編物・不織布等全ての布地及びテープの製品を含む。
また地を構成する繊維としては、綿、羊毛、絹等の天然繊維、ポリエステル、ナイロン等の合成繊維、レーヨン等の再生繊維、トリアセテート等の半合成繊維があげられる。
また、これらの混紡、混繊、交織品であってもよい。
【００２０】
帯電防止加工処理２１は、例えば、第４級アンモニウムクロライドをアルコールで希釈した帯電防止剤を吹き付け又は塗布して乾燥したものである。
また、第４級アンモニウムサルフェートや第４級アンモニウムナイトレート等、カチオン系の帯電防止剤を水やアルコールで希釈して塗布する方法もある。
その他、起毛布の繊維に対し、吹き付け、塗布処理可能なものであればいずれの帯電防止剤でも使用可能である。
【００２１】
また、ニッケル、ニッケルクロム合金、クロム、チタン、それらの合金をスパッタリング法、アーク蒸着法、熱蒸着法、電子ビーム蒸着法、イオンプレーティング法などの物理蒸着（ＰＶＤ）法により形成することもできる。
【００２２】
消臭加工処理３１は、珪酸塩と金属酸化物とを配合したものをエマルジョン樹脂に分散した不定形の防臭剤で処理し、この消臭剤を布面に吹き付け又は塗布して乾燥することによって加工できる。
鉄、ニッケル、銅、亜鉛等の無定形アルミノ珪酸塩や含水珪酸マグネシウム粘土鉱物を塗布する方法、その他、起毛布の繊維に対し、吹き付け、塗布処理可能なものであればいずれの消臭剤でも使用可能である。
【００２３】
図２は他の実施の形態を示すもので、導電性素材又は消臭剤を練りこんだ糸４及び５を用いて織成し、静電気防止機能を有する一方の面２と、消臭機能を有する他方の面３を形成したものである。
例えば、緯糸と経糸の夫々に糸４と糸５を用いて朱子織とすることで、静電気防止機能を有する一方の面２と、消臭機能を有する他方の面３を形成することができる。
【００２４】
導電性素材を練りこんだ糸４は、繊維原料の段階で導電性素材を練りこまれ、導電性素材は導電性カーボン、白色系金属酸化物等が挙げられる。
【００２５】
消臭剤を練りこんだ糸５は、繊維原料の段階で消臭剤を練りこまれ、消臭剤は例えば、麦飯石、蛇紋石、花崗岩、白雲石、珪鉱（ 酸化アルミニウム、酸化ジルコニウム、酸化マグネシウム、酸化チタニウム及び二酸化珪素などを含む）
、竹炭、備長炭、酸化亜鉛、銀イオン及び銅イオン等、又はこれらの複合粉末等が挙げられる。
【００２６】
図３は他の実施の形態を示すもので、織布、編布又は不織布１において、導電性素材又は消臭剤を練りこんだ二種の糸４、５を用い、表裏二重組織４１，５１として、静電気防止機能を有する一方の面２と、消臭機能を有する他方の面３を形成したものである。
【００２７】
織物については、縦糸に表に出るものと、裏に出るものとの導電性素材又は消臭剤を練りこんだ二種の糸４、５を用い、又は横糸に表に出るものと、裏に出るものとの導電性素材又は消臭剤を練りこんだ二種の糸４、５を用い、或いは経糸及び緯糸共に同一の糸４（又は５）を用いて表と裏とを別組織４１、５１に織って形成することができる。
要するに、一般に経二重組織、緯二重組織、二重組織、重ね組織などと称される二層構造織物が例示される。
【００２８】
また、編物についても、タテ方向またはヨコ方向に表糸と裏糸の二重構造を形成するもので、形成可能である。
具体的には、２枚筬または３枚筬を用いた、ハーフ組織、ハーフベース組織、サテン組織などが例示される。
【００２９】
さらに、不織布においては、導電性素材又は消臭剤を練りこんだ糸４、５を用いた不織布を適宜手段で重合接着し表裏二重組織とし、静電気防止機能を有する一方の面２と、消臭機能を有する他方の面３を形成するものである。
当然、織布及び編み布においても、導電性素材又は消臭剤を練りこんだ糸４、５を用いて各織編した表裏布４１、５１の２枚を重合接着し表裏二重組織とするようにしても良い。
【００３０】
図４は使用の状態を示す一例で、テープ１１を着衣６の首部や手首或いは足首の裏面の縁近傍の周りに、静電気防止機能を有する面２を表面にして逢着したものである。
脱着時に発生する静電気を放電し、身体への通電を防止し、又、他方の面３が着衣と接合していても消臭機能への支障とならない。
【００３１】
図５は他の使用例を示すもので、テープ１１を長手方向へ静電気防止機能を有する面２が表面に現れるように二つ折りし、重合面を接着すると共に環状本体とした携帯電話やキイホルダー等のストラップ１２としたものである。
【符号の説明】
【００３２】
１          織布、編布又は不織布
２          静電気防止機能を有する面
３          消臭機能を有する面
４          導電性素材を練りこんだ糸
５          消臭剤を練りこんだ糸
６          着衣
１１        テープ
１２        ストラップ
２１        帯電防止加工処理
３１        消臭加工処理
４１、５１  組織
【図１】
0003172964.tif 000003
【図２】
0003172964.tif 000004
【図３】
0003172964.tif 000005
【図４】
0003172964.tif 000006
【図５】
0003172964.tif 000007
【手続補正書】
【提出日】平成23年11月10日(2011.11.10)
【手続補正１】
【補正対象書類名】実用新案登録請求の範囲
【補正対象項目名】全文
【補正方法】変更
【補正の内容】
【実用新案登録請求の範囲】
【請求項１】
織布、編布又は不織布であって、一方の面に静電気防止処理を施し、他方の面に消臭処理を施し、静電気防止機能を有する一方の面と、消臭機能を有する他方の面を形成したことを特徴とする布地またはテープ。
【請求項２】
導電性素材又は消臭剤を練りこんだ二種の糸を用いて織成し、静電気防止機能を有する一方の面と、消臭機能を有する他方の面を形成したことを特徴とする布地またはテープ。
【請求項３】
織布を、導電性素材又は消臭剤を練りこんだ二種の糸を経糸又は／及び緯糸に用い、静電気防止機能を有する一方の面と、消臭機能を有する他方の面を形成した表裏二重組織としことを特徴とする布地またはテープ。
【請求項４】
編布を、導電性素材又は消臭剤を練りこんだ二種の糸を用い、静電気防止機能を有する一方の面と、消臭機能を有する他方の面を形成した表裏二重組織としたことを特徴とする布地またはテープ。
【請求項５】
導電性素材又は消臭剤を練りこんだ糸を用いた不織布を重合し、静電気防止機能を有する一方の面と、消臭機能を有する他方の面を形成した表裏二重組織としことを特徴とする布地またはテープ。
【手続補正２】
【補正対象書類名】明細書
【補正対象項目名】全文
【補正方法】変更
【補正の内容】
【考案の詳細な説明】
【技術分野】
【０００１】
本考案は織布、編布又は不織布であって、多機能を有する布地またはテープに関するものである。
【背景技術】
【０００２】
多機能を施した布地等は従来から各種提案されている。
たとえば、特開２００１−２７１２５２号公報のパイル織物では、パイル糸の毛羽を生地の表面に所定間隔で織り込んで密生して両側を起立させると共に、前記起立した毛羽のうち導電性繊維の先端に切断端面を設けてコロナ放電を可能としたことを特徴とし、静電気防止効果および抗菌・消臭効果を有することが開示されている。
【０００３】
また、特開２００６−２１９７７９号公報の織編物或いは二次製品では、静電気に帯電しにくい高分子化合物と、稀有元素類を鉱物、及びトルマリン若しくは遠赤外線セラミックのいずれか一方を含む混合体を混合し、さらに光触媒機能材料を添加混合した樹脂組成物を塗布固着させ、抗菌効果及び消臭効果を増加させたことが開示されている。
【０００４】
さらに、実用新案登録第３１０３５９８号公報では、上下２面を有する繊維布帛の少なくとも一面に、前記繊維布帛へ付着性の好い金属からなる金属層を被覆したものであって、前記金属層は、その厚さが１００Å〜５５０Åであり、比抵抗値が１０〜１０８Ω・ｃｍであることを特徴とする静電気シールド用金属被覆繊維布帛が開示されている。
【０００５】
そして、実用新案登録第３０３１２８４号公報では、本体が合成ゴム及び塩化ビニル等にてなる弾性シートと、この弾性シートの上面に接着される起毛布とから構成し、起毛布には防臭剤による加工処理を施したマットが開示されている。
【先行技術文献】
【特許文献】
【０００６】
【特許文献１】特開２００１−２７１２５２号公報
【特許文献２】特開２００６−２１９７７９号公報
【特許文献３】実用新案登録第３１０３５９８号公報
【特許文献４】実用新案登録第３０３１２８４号公報
【考案の概要】
【考案が解決しようとする課題】
【０００７】
上記従来の多機能を施した布地等は、各機能を奏する手段を一面に、又は両面に混在して設けた構成としているものである。
したがって、不必要な面に、或いは必要を超える作用を奏する手段を施して資源の無駄遣いとなったり、原価高となることが危惧されるのである。
【０００８】
そこで、斯かる点に鑑み本考案は、各機能の作用を確実に奏すると共に、必要な効能を容易に得ることができる多機能を施した布地またはテープを提供せんとするものである。
【課題を解決するための手段】
【０００９】
本考案の請求項１の布地またはテープは、織布、編布又は不織布であって、一方の面に静電気防止処理を施し、他方の面に消臭処理を施し、静電気防止機能を有する一方の面と、消臭機能を有する他方の面を形成したことを特徴とするものである。
【００１０】
また、請求項２の布地またはテープの考案は、導電性素材又は消臭剤を練りこんだ二種の糸を用いて織成し、静電気防止機能を有する一方の面と、消臭機能を有する他方の面を形成したことを特徴とするものである。
【００１１】
また、請求項３の布地またはテープの考案は、織布を、導電性素材又は消臭剤を練りこんだ二種の糸を経糸又は／及び緯糸に用い、静電気防止機能を有する一方の面と、消臭機能を有する他方の面を形成した表裏二重組織としことを特徴とするものである。
【００１２】
さらに、請求項４の布地またはテープの考案は、編布を、導電性素材又は消臭剤を練りこんだ二種の糸を用い、静電気防止機能を有する一方の面と、消臭機能を有する他方の面を形成した表裏二重組織としたことを特徴とするものである。
【００１３】
そして、請求項５の布地またはテープの考案は、導電性素材又は消臭剤を練りこんだ糸を用いた不織布を重合し、静電気防止機能を有する一方の面と、消臭機能を有する他方の面を形成した表裏二重組織としことを特徴とするものである。
【考案の効果】
【００１４】
本考案は布地またはテープの両面を、静電気防止機能を有する一方の面と、消臭機能を有する他方の面を形成したことにより、一面に特定の機能を集中でき、その作用の強弱調整も容易に設定できる効果を有する。
【００１５】
また、静電気防止機能は主に使用者の身体と接する面、或いは身体側の面に発生するのを防止すればその目的が達成でき、一方、消臭機能は身体と接していなくともその作用は奏せられるため、夫々片面のみに形成することで目的の効果を発揮するものである。
【００１６】
さらに、各作用を奏する糸を用いれば作用の継続性を長期間維持できると共に、編織組織により、或いは二重組織の編織とすることで、容易且つ作用の強弱を簡単に各面に形成できる効果を有するものである。
【図面の簡単な説明】
【００１７】
【図１】本考案の一実施の形態を断面図である。
【図２】本考案の一実施の形態を組織図である。
【図３】本考案の一実施の形態を断面図である。
【図４】テープの一使用の状態を示す断面図である。
【図５】テープの他の使用の状態を示す一部切り欠いた斜視図である。
【考案を実施するための形態】
【００１８】
本考案の一実施の形態を説明すれば、図１において、布地またはテープ１は、一方の面２に静電気防止処理２１を施し、他方の面３に消臭処理３１を施し、静電気防止機能を有する一方の面２と、消臭機能を有する他方の面３を形成したものである。
【００１９】
本考案の布地またはテープ１は、一般的な織物・編物・不織布等全ての布地またはテープの製品を含む。
また、地を構成する繊維としては、綿、羊毛、絹等の天然繊維、ポリエステル、ナイロン等の合成繊維、レーヨン等の再生繊維、トリアセテート等の半合成繊維があげられる。
あるいは、これらの混紡、混繊、交織品であってもよい。
【００２０】
帯電防止加工処理２１は、例えば、第４級アンモニウムクロライドをアルコールで希釈した帯電防止剤を吹き付け又は塗布して乾燥したものである。
また、第４級アンモニウムサルフェートや第４級アンモニウムナイトレート等、カチオン系の帯電防止剤を水やアルコールで希釈して塗布する方法もある。
その他、起毛布の繊維に対し、吹き付け、塗布処理可能なものであればいずれの帯電防止剤でも使用可能である。
【００２１】
また、ニッケル、ニッケルクロム合金、クロム、チタン、それらの合金をスパッタリング法、アーク蒸着法、熱蒸着法、電子ビーム蒸着法、イオンプレーティング法などの物理蒸着（ＰＶＤ）法により形成することもできる。
【００２２】
消臭加工処理３１は、珪酸塩と金属酸化物とを配合したものをエマルジョン樹脂に分散した不定形の防臭剤で処理し、この消臭剤を布面に吹き付け又は塗布して乾燥することによって加工できる。
鉄、ニッケル、銅、亜鉛等の無定形アルミノ珪酸塩や含水珪酸マグネシウム粘土鉱物を塗布する方法、その他、起毛布の繊維に対し、吹き付け、塗布処理可能なものであればいずれの消臭剤でも使用可能である。
【００２３】
図２は他の実施の形態を示すもので、導電性素材又は消臭剤を練りこんだ糸４及び５を用いて織成し、静電気防止機能を有する一方の面２と、消臭機能を有する他方の面３を形成したものである。
例えば、緯糸と経糸の夫々に糸４と糸５を用いて朱子織とすることで、静電気防止機能を有する一方の面２と、消臭機能を有する他方の面３を形成することができる。
【００２４】
導電性素材を練りこんだ糸４は、繊維原料の段階で導電性素材を練りこまれ、導電性素材は導電性カーボン、白色系金属酸化物等が挙げられる。
【００２５】
消臭剤を練りこんだ糸５は、繊維原料の段階で消臭剤を練りこまれ、消臭剤は例えば、麦飯石、蛇紋石、花崗岩、白雲石、珪鉱（酸化アルミニウム、酸化ジルコニウム、酸化マグネシウム、酸化チタニウム及び二酸化珪素などを含む）、竹炭、備長炭、酸化亜鉛、銀イオン及び銅イオン等、又はこれらの複合粉末等が挙げられる。
【００２６】
図３は他の実施の形態を示すもので、織布、編布又は不織布１において、導電性素材又は消臭剤を練りこんだ二種の糸４、５を用い、表裏二重組織４１，５１として、静電気防止機能を有する一方の面２と、消臭機能を有する他方の面３を形成したものである。
【００２７】
織物については、縦糸に表に出るものと、裏に出るものとの導電性素材又は消臭剤を練りこんだ二種の糸４、５を用い、又は横糸に表に出るものと、裏に出るものとの導電性素材又は消臭剤を練りこんだ二種の糸４、５を用い、或いは経糸及び緯糸共に同一の糸４（又は５）を用いて表と裏とを別組織４１、５１に織って形成することができる。
要するに、一般に経二重組織、緯二重組織、二重組織、重ね組織などと称される二層構造織物が例示される。
【００２８】
また、編物についても、タテ方向またはヨコ方向に表糸と裏糸の二重構造を形成するもので、形成可能である。
具体的には、２枚筬または３枚筬を用いた、ハーフ組織、ハーフベース組織、サテン組織などが例示される。
【００２９】
さらに、不織布においては、導電性素材又は消臭剤を練りこんだ糸４、５を用いた不織布を適宜手段で重合接着し表裏二重組織とし、静電気防止機能を有する一方の面２と、消臭機能を有する他方の面３を形成するものである。
当然、織布及び編み布においても、導電性素材又は消臭剤を練りこんだ糸４、５を用いて各織編した表裏布４１、５１の２枚を重合接着し表裏二重組織とするようにしても良い。
【００３０】
図４は使用の状態を示す一例で、テープ１１を着衣６の首部や手首或いは足首の裏面の縁近傍の周りに、静電気防止機能を有する面２を表面にして逢着したものである。
脱着時に発生する静電気を放電し、身体への通電を防止し、又、他方の面３が着衣と接合していても消臭機能への支障とならない。
【００３１】
図５は他の使用例を示すもので、テープ１１を長手方向へ静電気防止機能を有する面２が表面に現れるように二つ折りし、重合面を接着すると共に環状本体とした携帯電話やキイホルダー等のストラップ１２としたものである。
【符号の説明】
【００３２】
１          織布、編布又は不織布
２          静電気防止機能を有する面
３          消臭機能を有する面
４          導電性素材を練りこんだ糸
５          消臭剤を練りこんだ糸
６          着衣
１１        テープ
１２        ストラップ
２１        帯電防止加工処理
３１        消臭加工処理
４１、５１  組織